【手続補正書】
【提出日】平成18年4月24日(2006.4.24)
【手続補正１】
【補正対象書類名】明細書
【補正対象項目名】特許請求の範囲
【補正方法】変更
【補正の内容】
【特許請求の範囲】
【請求項１】  主送受信機およびその主送受信機から信号を受信したり、その主送受信機に信号を送信することが可能な遠隔送受信機を備えた無線通信システムであって、前記主送受信機が送信アンテナ素子のアレイおよび少なくとも１つの受信アンテナ素子を備え、各送信アンテナ素子は送信アンテナ素子を使用して送信装置信号を送信するための送信電子系統の一部であり、かつ各受信アンテナ素子は受信アンテナ素子から受信アンテナ信号を受信するための受信機装置系統の一部であり、前記主送受信機および前記遠隔送受信機はエアー・インターフェース規格に準拠する波形を使用する相互通信に合わせて設計された無線通信システムにおける、遠隔送受信機のためのダウンリンク・シグネチャを推定するための方法であって、
（ａ）１つまたは複数のダウンリンク較正波形のセットを前記主送受信機から前記送信アンテナ・アレイを介して前記遠隔送受信機に送信し、前記ダウンリンク較正波形のセットは実質的にエアー・インターフェース規格に準拠し、
（ｂ）前記ダウンリンク較正波形に対応する前記遠隔送受信機で受信された信号を処理し、前記処理は前記遠隔送受信機のためのダウンリンク・シグネチャに関連するダウンリンク・シグネチャ関連信号を決定し、
（ｃ）実質的にエアー・インターフェース規格に準拠した波形を使用して前記遠隔送受信機から前記主送受信機に前記ダウンリンク・シグネチャ関連信号を送信し、かつ
（ｄ）前記主送受信機において受信されるダウンリンク・シグネチャ関連信号から前記遠隔送受信機のダウンリンク・シグネチャを決定することを含む方法。
【請求項２】  少なくとも１つの受信アンテナ素子は受信アンテナ素子のアレイを形成する複数の受信アンテナ素子であり、受信アンテナ素子の前記アレイの数が送信アンテナ素子の前記アレイにおけるアンテナ素子の数と同じであり、
（ｅ）１つまたは複数のアップリンク較正波形のセットを遠隔送受信機から前記主送受信機に送信し、ダウンリンク較正波形の前記セットは実質的にエアー・インターフェースに準拠し、
（ｆ）前記遠隔送受信機から送信された前記アップリンク較正信号に対応する受信アンテナ信号を前記主送受信機において処理し、前記処理は前記遠隔送受信機のためのアップリング・シグネチャを決定し、かつ
（ｈ）前記遠隔送受信機のための前記アップリンクおよびダウンリンク・シグネチャから前記主送受信機のための較正関数を決定することをさらに含む請求項１に記載の方法。
【請求項３】  主送受信機および前記主送受信機から信号を受信したり、前記主送受信機に信号を送信することが可能な遠隔送受信機を備えた無線通信システムであって、前記主送受信機が送信アンテナ素子のアレイおよび少なくとも１つの受信アンテナ素子を備え、各送信アンテナ素子は送信アンテナ素子を使用して送信装置信号を送信するための送信電子系統の一部であり、かつ各受信アンテナ素子は受信アンテナ素子から受信アンテナ信号を受信するための受信機装置系統の一部であり、前記主送受信機および前記遠隔送受信機はエアー・インターフェース規格に準拠する波形を使用する相互通信に合わせて設計された無線通信システムにおける、遠隔送受信機のためのダウンリンク・シグネチャを推定するための方法であって、
（ａ）１つまたは複数のダウンリンク較正波形のセットを前記主送受信機から前記送信アンテナ・アレイを介して前記遠隔送受信機に送信し、前記ダウンリンク較正波形のセットは周波数オフセット、位相ノイズ、Ｉ／Ｑ不整合およびタイミングオフセットを含む１つまたは複数のセットに耐えるよう設計され、
（ｂ）前記ダウンリンク較正波形に対応する前記遠隔送受信機で受信された信号を処理し、前記処理は前記遠隔送受信機のためのダウンリンク・シグネチャに関連するダウンリンク・シグネチャ関連信号を決定し、
（ｃ）前記遠隔送受信機から前記主送受信機に前記ダウンリンク・シグネチャ関連信号を送信し、かつ
（ｄ）前記主送受信機において受信されるダウンリンク・シグネチャ関連信号から前記遠隔送受信機のダウンリンク・シグネチャを決定することを含む方法。
【請求項４】  少なくとも１つの受信アンテナ素子は受信アンテナ素子のアレイを形成する複数の受信アンテナ素子であり、受信アンテナ素子の前記アレイの数が送信アンテナ素子の前記アレイ内のアンテナ素子の数と同じであり、
（ｅ）１つまたは複数のアップリンク較正波形のセットを遠隔送受信機から前記主送受信機に送信し、ダウンリンク較正波形の前記セット、
（ｆ）前記主送受信機において前記遠隔送受信機から送信される前記アップリンク較正信号に対応する前記受信アンテナ信号を処理し、前記処理は前記遠隔送受信機のためのアップリング・シグネチャを決定し、かつ
（ｇ）前記遠隔送受信機のための前記アップリンクおよびダウンリンク・シグネチャから前記主送受信機のための較正関数を決定することをさらに含む請求項３に記載の方法。
【請求項５】  ダウンリンク較正波形の前記セットはエアー・インターフェース規格に準拠した請求項３または請求項４に記載の方法。
【請求項６】  主送受信機および前記主送受信機から信号を受信したり、前記主送受信機に信号を送信することが可能な遠隔送受信機を備えた無線通信システムであって、前記主送受信機が送信アンテナ素子のアレイおよび少なくとも１つの受信アンテナ素子を備え、各送信アンテナ素子は送信アンテナ素子を使用して送信装置信号を送信するための送信電子系統の一部であり、かつ各受信アンテナ素子は受信アンテナ素子から受信アンテナ信号を受信するための受信機装置系統の一部であり、前記主通信送受信機はトラフィック波形を送信するように設計され、ダウンリンク較正波形を送信するようにも設計された無線通信システムにおける、遠隔送受信機のためのダウンリンク・シグネチャを推定するための方法であって、
（ａ）前記主送受信機から前記送信アンテナ・アレイを介して前記遠隔送受信機にダウンリンク較正波形およびトラフィック波形を送信し、前記ダウンリンク較正波形に前記トラフィック較正波形が散在し、
（ｂ）前記遠隔送受信機において受信された前記信号がダウンリンク較正波形に対応するか、またはトラフィック較正波形に対応するかを前記遠隔送受信機において判断し、
（ｃ）ステップ（ｂ）でダウンリンク較正波形に対応すると判断された前記遠隔送受信機において受信された信号を処理し、前記処理は前記遠隔送受信機のための前記ダウンリンク・シグネチャに関連するダウンリンク・シグネチャ関連信号を決定し、
（ｄ）ステップ（ｂ）でトラフィック波形に対応すると判断された前記遠隔送受信機において受信された信号を処理し、前記処理は正規トラフィック機能を果たし、
（ｅ）前記遠隔送受信機から前記主送受信機に前記ダウンリンク・シグネチャ関連信号を送信し、かつ
（ｆ）前記主送受信機において受信された前記前記ダウンリンク・シグネチャ関連信号から前記遠隔送受信機のダウンリンク・シグネチャを決定することを含む方法。
【請求項７】  前記ダウンリンク較正波形は非活動期に送信される請求項６に記載の方法。
【請求項８】  前記ダウンリンク較正波形は、前記主送受信機からいくつかのアイドル波形が送信された後でなければ送信されない請求項６または請求項７に記載の方法。
【請求項９】  少なくとも１つの受信アンテナ素子が受信アンテナ素子のアレイを形成する複数の受信アンテナ素子であり、受信アンテナ素子の前記アレイの数が送信アンテナ素子の前記アレイにおけるアンテナ素子の数と同じであり、
（ｈ）１つまたは複数のアップリンク較正波形のセットを遠隔送受信機から前記主送受信機に送信し、
（ｈ）前記主送受信機において前記遠隔送受信機から送信される前記アップリンク較正信号に対応する前記受信アンテナ信号を処理し、前記処理は前記遠隔送受信機のためのアップリング・シグネチャを決定し、かつ
（ｊ）前記遠隔送受信機のための前記アップリンクおよびダウンリンク・シグネチャから前記送受信機のための較正関数を決定することをさらに含む請求項６、７または８のいずれかに記載の方法。
【請求項１０】  前記主送受信機から送信される前記ダウンリンク波形は、周波数オフセット、位相ノイズ、Ｉ／Ｑ不整合およびタイミングオフセットを含む１つまたは複数のセットに耐えるよう設計された請求項６ないし９のいずれかに記載の方法。
【請求項１１】  主送受信機および前記主送受信機から信号を受信したり、前記主送受信機に信号を送信することが可能な遠隔送受信機を備えた無線通信システムであって、前記主送受信機がアンテナ素子のアレイおよび受信アンテナ素子のアレイを備え、各送信アンテナ素子は送信アンテナ素子を使用して送信装置信号を送信するための送信電子系統の一部であり、かつ各受信アンテナ素子は受信アンテナ素子から受信アンテナ信号を受信するための受信機装置系統の一部であり、受信アンテナ素子の前記アレイの数が送信アンテナ素子の前記アレイ内のアンテナ素子の数と同じであり、前記主送受信機はアップリンク重みベクトルによる直線的アップリンク適応スマートアンテナ処理を含むアップリンク適応スマートアンテナ処理、およびダウンリンク重みベクトルによる直線的ダウンリンク適応スマートアンテナ処理を含むダウンリンク適応スマートアンテナ処理のための手段を備え、前記遠隔送受信機はエアー・インターフェース規格に準拠した波形を用いた相互通信に向けて設計されており、前記主送受信機は前記遠隔送受信機のためのアップリンク重みベクトルを決定する手段をさらに備えた無線通信システムにおける、前記遠隔送受信機のためのダウンリンク重みベクトルを決定するための方法であって、
（ａ）１つまたは複数のダウンリンク較正波形のセットを前記主送受信機から前記送信アンテナ・アレイを介して前記遠隔送受信機に送信し、前記ダウンリンク較正波形のセットは実質的にエアー・インターフェース規格に準拠し、
（ｂ）前記ダウンリンク較正波形に対応する前記遠隔送受信機で受信された信号を処理し、前記処理は前記遠隔送受信機のためのダウンリンク・シグネチャに関連するダウンリンク・シグネチャ関連信号を決定し、
（ｃ）前記遠隔送受信機から前記主送受信機に前記ダウンリンク・シグネチャ関連信号を送信し、
（ｄ）１つまたは複数のアップリンク較正波形のセットを前記遠隔送受信機から前記主送受信機に送信し、
（ｅ）前記主送受信機において前記遠隔送受信機から送信される前記アップリンク較正信号に対応する前記受信アンテナ信号を処理し、前記処理は前記遠隔送受信機のためのアップリング・シグネチャを決定し、
（ｆ）前記遠隔送受信機から前記主送受信機において受信されたあらゆる信号から前記遠隔送受信機のためのアップリンク重みベクトルを決定し、かつ
（ｇ）決定されたアップリンク重みベクトル
決定されたアップリング・シグネチャ、および
前記主送受信機において受信された前記ダウンリンク・シグネチャ関連信号に対応する受信アンテナ信号から前記遠隔送受信機のためのダウンリンク重みベクトルを決定することを含む方法。
【請求項１２】  ダウンリンク重み決定ステップは、
（ｉ）前記決定されたアップリング・シグネチャおよび前記主送受信機において受信されたダウンリンク・シグネチャ関連信号に対応する受信アンテナ信号、ならびに前記主送受信機において受信されたダウンリンク・シグネチャ関連信号から前記遠隔送受信機のための較正関数を決定し、かつ
（ｉｉ）前記決定されたアップリンク重みベクトルおよび前記較正関数からダウンリンク重みベクトルを決定することを含む請求項１１に記載の方法。
【請求項１３】  主送受信機および各々が前記主送受信機から信号を受信したり、前記主送受信機に信号を送信することが可能な複数の遠隔送受信機を備えた無線通信システムであって、前記主送受信機が送信アンテナ素子のアレイおよび少なくとも１つの受信アンテナ素子を備え、各送信アンテナ素子は送信アンテナ素子を使用して送信装置信号を送信するための送信電子系統の一部であり、かつ各受信アンテナ素子は受信アンテナ素子から受信アンテナ信号を受信するための受信機装置系統の一部である無線通信システムにおける、遠隔送受信機のためのダウンリンク・シグネチャを推定する方法であって、
（ａ）１つまたは複数のダウンリンク較正波形のセットを前記主送受信機から前記送信アンテナ・アレイを介して前記遠隔送受信機に送信し、
（ｂ）前記ダウンリンク較正波形に対応する各遠隔送受信機で受信された信号を処理し、前記処理は前記遠隔送受信機のためのダウンリンク・シグネチャに関連するダウンリンク・シグネチャ関連信号を決定し、
（ｃ）実質的にエアー・インターフェース規格に準拠した波形を使用して各遠隔送受信機から前記主送受信機に前記ダウンリンク・シグネチャ関連信号を送信し、
（ｄ）前記主送受信機において遠隔送受信機から受信された前記ダウンリンク・シグネチャ関連信号から各遠隔送受信機のためのダウンリンク信号を決定し、かつ
（ｅ）前記遠隔送受信機のための前記ダウンリンク信号を組み合わせて複合ダウンリンク・シグネチャを決定することを含む方法。
【請求項１４】  前記主送受信機および前記遠隔送受信機はエアー・インターフェース規格に準拠した波形を用いる相互通信に向けて設計されており、ダウンリンク較正波形のセットにおける各波形は実質的にエアー・インターフェース規格に準拠した請求項１３に記載の方法。
【請求項１５】  少なくとも１つの受信アンテナ素子が受信アンテナ素子のアレイを形成する複数の受信アンテナ素子であり、受信アンテナ素子の前記アレイの数が送信アンテナ素子の前記アレイにおけるアンテナ素子の数と同じであり、
（ｆ）１つまたは複数のアップリンク較正波形のセットを遠隔送受信機から前記主送受信機に送信し、
（ｇ）前記主送受信機において前記遠隔送受信機から送信される前記アップリンク較正信号に対応する前記受信アンテナ信号を処理し、前記処理は前記遠隔送受信機のためのアップリング・シグネチャを決定し、
（ｈ）前記遠隔送受信機のための前記アップリンク信号を組み合わせて複合アップリング・シグネチャを決定し、かつ
（ｉ）前記遠隔送受信機のための前記アップリンクおよびダウンリンク複合符合から前記主送受信機のための較正関数を決定することをさらに含む請求項１３または請求項１４に記載の方法。
【請求項１６】  前記主送受信機は、アップリンク重みベクトルによる直線的アップリンク適応スマートアンテナ処理を含むアップリンク適応スマートアンテナ処理、およびダウンリンク重みベクトルによる直線的ダウンリンク適応スマートアンテナ処理を含むダウンリンク適応スマートアンテナ処理のための手段を備え、
（ｋ）前記遠隔送受信機が前記主送受信機に送信している間に受信される受信アンテナ信号を処理することによって、加入者ユニットから受信するためのアップリンク重みベクトルを前記主送受信機において決定し、かつ
（ｌ）決定されたアップリンク重みおよび較正係数から、前記遠隔送受信機に送信するためのダウンリンク重みを前記主送受信機において決定することを含む請求項１５に記載の方法。
【請求項１７】  前記符合の組合せを主成分法によって行う請求項１３ないし１６のいずれかに記載の方法。
【請求項１８】  各遠隔送信機は前記主送受信機に対して遠隔送受信機受信信号推定値をも送信し、前記信号の組合せは重み付け組合せであって、各遠隔送受信機に対する符合の重みは前記遠隔送受信機受信信号品質推定値または前記遠隔送受信機である請求項１７に記載の方法。
【請求項１９】  符合推定値の成分が、それが他のアンテナ素子に比べて弱い受信または送信アンテナ素子に対応する場合は破棄される請求項１５または１６に記載の方法。
【請求項２０】  アップリンク較正信号がアイドルトラフィック波形である請求項２、４、９、１２、１５、１６または１９のいずれかに記載の方法。
【請求項２１】  アップリンク較正信号がダウンリンク・シグネチャ関連信号である請求項２、４、９、１２、１５、１６または１９のいずれかに記載の方法。
【請求項２２】  前記主送受信機は、アップリンク重みベクトルによる直線的アップリンク適応スマートアンテナ処理を含むアップリンク適応スマートアンテナ処理、およびダウンリンク重みベクトルによる直線的ダウンリンク適応スマートアンテナ処理を含むダウンリンク適応スマートアンテナ処理のための手段を備え、
（ｈ）前記遠隔送受信機が前記主送受信機に送信している間に受信される受信アンテナ信号を処理することによって、加入者ユニットから受信するためのアップリンク重みベクトルを前記主送受信機において決定し、かつ
（ｌ）決定されたアップリンク重みおよび較正係数から、前記遠隔送受信機に送信するためのダウンリンク重みを前記主送受信機において決定することを含む請求項２、４、９、１２、１５または１９のいずれかに記載の方法。
【請求項２３】  前記ダウンリンク・シグネチャは、前記送信アンテナ・アレイの参照アンテナ素子に対して決定され、各送信アンテナ素子から送信された信号が実質的に直交するように前記ダウンリンク較正波形が選択される請求項１ないし２２のいずれかに記載の方法。
【請求項２４】  前記ダウンリンク較正波形は、前記送信アレイのいずれか２つの異なるアンテナ素子から送信されたいずれか２つの較正信号のドット積が純音になるように選択された変調コンスタントモジュラス較正信号である請求項２３に記載の方法。
【請求項２５】  前記ダウンリンク較正波形はＭ個の異なる変調コンスタントモジュラス較正信号の組合せを含み、Ｍはダウンリンク・シグネチャが決定されるアンテナ・アレイのアンテナ素子の数であり、各較正信号は、それぞれ第１のセグメントおよび第２のセグメントで表される２つのセグメントを含み、前記２つのセグメントは各々の較正信号について全く同様に時間調節されて、前記第１のセグメントの時間間隔では前記送信アレイの各々の前記アンテナ素子から前記較正信号の直線的組合せの第１のセットが送信され、第２のセグメントの時間間隔では前記送信アレイの各々の前記アンテナ素子から前記較正信号の直線的組合せの第２のセットが送信される請求項２３または請求項２４に記載の方法。
【請求項２６】  前記送信アレイの各アンテナ素子から送信される信号は変調された音信号であり、異なるアレイからの前記音信号の周波数はそれぞれ異なり、ダウンリンク・シグネチャ関連信号決定処理ステップおよびダウンリンク・シグネチャ決定ステップはともに、
前記遠隔送受信機において受信される前記信号と各々の前記音信号とを相互に関連づけ、かつ
参照素子から送信される信号との相関関係を標準化することを含む請求項２３に記載の方法。
【請求項２７】  Ｍ個のアンテナ素子が存在し、直線的組合せの前記第１のセットは前記参照アンテナ素子から送信されるＭ個の異なる音信号の合計であり、他の送信アンテナ素子から送信される音信号のいずれでもなく、前記異なる音信号の音の周波数はそれぞれ異なり、直線的組合せの前記第２のセットは各々の前記アンテナ素子から送信される音信号の異なるセットであり、異なるアレイからの音の周波数はそれぞれ異なり、前記ダウンリンク・シグネチャ関連信号を決定する処理およびダウンリンク・シグネチャの決定はともに、
前記遠隔送受信機において第１のセグメントの間に受信される前記信号と各アンテナ素子によって送信される前記第１のセグメント信号の各々とを相互に関連づけて第１のセグメント相関関係を取得し、
前記第１のセグメントと前記参照素子から送信される信号との相関関係を用いて前記第１のセグメント相関関係を標準化し、前記標準化は第１のセグメント標準化相関関係を形成し、
前記遠隔送受信機において第２のセグメントの間に受信される前記信号と各アンテナ素子によって送信される前記第２のセグメント信号の各々とを相互に関連づけて第２のセグメント相関関係を取得し、
前記第１のセグメントと前記参照素子から送信される信号との相関関係を用いて前記第２のセグメント相関関係を標準化し、前記標準化は第２のセグメント標準化相関関係を形成し、かつ
対応する第１のセグメント標準化相関関係によって第２のセグメント標準化相関関係をそれぞれ分割してダウンリンク・シグネチャ推定値の成分を形成することを含む請求項２３に記載の方法。
【請求項２８】  前記ダウンリンク・シグネチャ関連信号は前記遠隔送受信機のためのダウンリンク・シグネチャを含む請求項１ないし２７のいずれかに記載の方法。
【請求項２９】  送信アンテナ素子の前記アレイおよび１つまたは複数の受信アンテナ素子が共通のアンテナを含む請求項１ないし２８のいずれかに記載の方法。
【請求項３０】  前記ダウンリンク・シグネチャ推定値は最尤推定値と判断される請求項１ないし２９のいずれかに記載の方法。
【請求項３１】  前記通信システムは、各々が１つまたは複数の加入者ユニットを有する１つまたは複数の基地局を含むセルラシステムであり、主送受信機は基地局の１つである請求項１ないし３０のいずれかに記載の方法。
【請求項３２】  前記遠隔送受信機は前記主送受信機の加入者ユニットである請求項３１に記載の方法。
【請求項３３】  前記エアー・インターフェース規格はＰＨＳである請求項１ないし３２のいずれかに記載の方法。
【請求項３４】  （ａ）（ｉ）各々の送信アンテナ素子が前記送信アンテナ素子から送信装置信号を送信するための送信電子系統の一部である送信アンテナ素子のアレイと、
（ｉｉ）各々の受信アンテナ素子が前記受信アンテナ素子から受信アンテナ信号を受信するための受信装置系統の一部である１つまたは複数の受信アンテナ素子と、
（ｉｉｉ）受信アンテナ信号を処理し、かつ送信装置信号を形成するための１つまたは複数の主送受信機信号プロセッサとを備えた主送受信機と、
（ｂ）エアー・インターフェース規格に準拠した波形を使用して前記主送受信機から信号を受信したり、前記主送受信機に信号を送信することが可能な遠隔送受信機であって、
（ｉ）遠隔送受信機受信信号を受信するための遠隔送受信機受信アンテナを含む遠隔送受信機受信機と、
（ｉ）前記主送受信機に遠隔送受信機送信信号を送信するための遠隔送受信機送信アンテナを含む遠隔送受信機送信機と、
（ｉｉｉ）遠隔送受信機受信信号を処理し、かつ遠隔送受信機送信信号を形成するための１つまたは複数の遠隔送受信機信号プロセッサとを備えた遠隔送受信機とを備えた無線通信システムであって、
少なくとも１つの前記主送受信機信号プロセッサは、
前記主送受信機から前機送信アンテナ・アレイを介して前記遠隔送受信機にダウンリンク較正波形のセットを送信し、ダウンリンク較正波形の前記セットがエアー・インターフェース規格に実質的に準拠するようプログラムされ、
少なくとも１つの前記遠隔送受信機信号プロセッサは、
前記送信されたダウンリンク較正波形に対応する前記遠隔送受信機において受信された信号を処理して、前記遠隔送受信機のためのダウンリンク・シグネチャに関連するダウンリンク・シグネチャ関連信号を決定し、かつ
実質的にエアー・インターフェース規格に準拠した波形を使用して前記遠隔送受信機から前記主送受信機にダウンリンク・シグネチャ関連信号を送信するようプログラムされ、
少なくとも１つの前記主送受信機信号プロセッサは、
前記主送受信機において前記主送受信機から受信された前記ダウンリンク・シグネチャ関連信号を処理して、前記遠隔送受信機のためのダウンリンク・シグネチャを決定するようプログラムされた無線通信システム。
【請求項３５】  前記少なくとも１つの受信アンテナ素子は受信アンテナ素子のアレイを形成する複数の受信アンテナ素子であり、受信アンテナ素子の前記アレイにおける素子の数は送信アンテナ素子のアレイにおけるアンテナ素子の数と同じであり、少なくとも１つの前記送受信機信号プロセッサは、
１つまたは複数のアップリンク較正波形のセットを前記主送受信機に送信するようプログラムされ、
少なくとも１つの前記主送受信機信号プロセッサは、
前記遠隔送受信機から送信された前記アップリンク較正波形に対応する受信アンテナ信号を処理し、前記処理は前記遠隔送受信機のためのアップリング・シグネチャを決定し、かつ
前記遠隔送受信機のための前記アップリンクおよびダウンリンク・シグネチャから前記主送受信機のための較正関数を決定するようプログラムされた請求項３４に記載のシステム。
【請求項３６】  前記主送受信機は、アップリンク重みベクトルによる直線的アップリンク適応スマートアンテナ処理を含むアップリンク適応スマートアンテナ処理、およびダウンリンク重みベクトルによる直線的ダウンリンク適応スマートアンテナ処理を含むダウンリンク適応スマートアンテナ処理のための手段をさらに備え、少なくとも１つの前記送受信機信号プロセッサは、
前記遠隔送受信機が前記主送受信機に送信している間に受信された受信アンテナ信号を処理することによって、前記加入者ユニットから受信するためのアップリンク重みベクトルを決定し、かつ
前記遠隔送受信機について決定された前記アップリンク重みおよび較正係数から、前記遠隔送受信機に送信するためのダウンリンク重みを決定するようプログラムされた請求項３５に記載のシステム。
【請求項３７】（ａ）（ｉ）各々の送信アンテナ素子が前記送信アンテナ素子から送信装置信号を送信するための送信電子系統の一部である送信アンテナ素子のアレイと、
（ｉｉ）各々の受信アンテナ素子が前記受信アンテナ素子から受信アンテナ信号を受信するための受信装置系統の一部であり、前記受信アレイにおける能動素子の数は前記送信アレイにおける能動素子の数と同じである受信アンテナ素子のアレイと、
（ｉｉｉ）受信アンテナ信号を処理し、かつ送信装置信号を形成するための１つまたは複数の主送受信機信号プロセッサとを備えた主送受信機と、
（ｂ）各々が前記主送受信機から信号を受信したり、前記主送受信機に信号を送信することが可能な複数の遠隔送受信機であって、各々の送受信機が、
（ｉ）遠隔送受信機受信信号を受信するための遠隔送受信機受信アンテナを含む遠隔送受信機受信機と、
（ｉｉ）前記主送受信機に遠隔送受信機送信信号を送信するための遠隔送受信機送信アンテナを含む遠隔送受信機送信機と、
（ｉｉｉ）遠隔送受信機受信信号を処理し、かつ遠隔送受信機送信信号を形成するための１つまたは複数の遠隔送受信機信号プロセッサとを備えた複数の遠隔送受信機とを備えた無線通信システムであって、
少なくとも１つの前記主送受信機信号プロセッサは、
前記主送受信機から前機送信アンテナ・アレイを介して前記複数の遠隔送受信機にダウンリンク較正波形のセットを送信するようプログラムされ、
少なくとも１つの各遠隔送受信機の遠隔送受信機信号プロセッサは、
前記遠隔送受信機において受信された前記送信されたダウンリンク較正波形に対応する信号を処理して、前記遠隔送受信機のためのダウンリンク・シグネチャに関連するダウンリンク・シグネチャ関連信号を決定し、
実質的にエアー・インターフェース規格に準拠した波形を使用して前記遠隔送受信機から前記主送受信機にダウンリンク・シグネチャ関連信号を送信し、かつ
１つまたは複数のアップリンク較正信号を前記遠隔送受信機から前記主送受信機に送信するようプログラムされ、
少なくとも１つの前記主送受信機信号プロセッサは、
前記主送受信機において各遠隔送受信機から受信された前記ダウンリンク・シグネチャ関連信号を処理して、前記遠隔送受信機のためのダウンリンク・シグネチャを決定し、
各遠隔送受信機からの前記アップリンク較正信号に対応する受信アンテナ信号を処理して、前記遠隔送受信機のためのアップリンク複合符合を決定し、
前記送受信機のためのダウンリンク信号を組み合わせて、ダウンリンク複合符合を決定し、
前記送受信機のためのアップリング・シグネチャを組み合わせて、アップリンク複合符合を決定し、かつ
前記ダウンリンク複合符合および前記アップリンク複合符合から前記主送受信機のための較正関数を決定するようプログラムされた無線通信システム。
【請求項３８】  前記アップリンク較正信号はアイドルトラフィック波形である請求項３５ないし３７のいずれかに記載のシステム。
【請求項３９】  前記アップリンク較正信号はダウンリンク・シグネチャ関連信号である請求項３５ないし３７のいずれかに記載のシステム。
【請求項４０】  前記ダウンリンク・シグネチャは、前記送信アンテナ・アレイの参照アンテナ素子に対して決定され、各送信アンテナ素子から送信された信号が実質的に直交するように前記ダウンリンク較正波形が選択される請求項３４ないし３９のいずれかに記載のシステム。
【請求項４１】  前記ダウンリンク較正波形は、周波数オフセット、位相ノイズ、Ｉ／Ｑ不整合およびタイミングオフセットを含む１つまたは複数のセットに耐えるよう設計された請求項４０に記載のシステム。
【請求項４２】  前記ダウンリンク較正波形は、前記送信アレイのいずれか２つの異なるアンテナ素子から送信されたいずれか２つの較正信号のドット積が純音になるように選択された変調コンスタントモジュラス較正信号である請求項４１に記載のシステム。
【請求項４３】  前記ダウンリンク較正波形はＭ個の異なる変調コンスタントモジュラス較正信号の組合せを含み、Ｍはダウンリンク・シグネチャが決定されるアンテナ・アレイのアンテナ素子の数であり、各較正信号は、それぞれ第１のセグメントおよび第２のセグメントで表される２つのセグメントを含み、前記２つのセグメントは各々の較正信号について全く同様に時間調節されて、前記第１のセグメントの時間間隔では前記送信アレイの各々の前記アンテナ素子から前記較正信号の直線的組合せの第１のセットが送信され、第２のセグメントの時間間隔では前記送信アレイの各々の前記アンテナ素子から前記較正信号の直線的組合せの第２のセットが送信される請求項４１に記載のシステム。
【請求項４４】  前記送信アレイの各アンテナ素子から送信される信号は変調された音信号であり、異なるアレイからの前記音信号の周波数はそれぞれ異なり、ダウンリンク・シグネチャ信号の決定およびダウンリンク・シグネチャの決定はともに、
前記遠隔送受信機において受信される前記信号と各々の前記音信号とを相互に関連づけ、
参照素子から送信される信号との相関関係を標準化することを含む請求項４２に記載のシステム。
【請求項４５】  Ｍ個のアンテナ素子が存在し、直線的組合せの前記第１のセットは前記参照アンテナ素子から送信されるＭ個の異なる音信号の合計であって、他の送信アンテナ素子から送信される音信号ではなく、前記異なる音信号の音の周波数はそれぞれ異なり、直線的組合せの前記第２のセットは各々の前記アンテナ素子から送信される音信号の異なるセットであり、異なるアレイからの音の周波数はそれぞれ異なり、ダウンリンク・シグネチャ信号の決定およびダウンリンク・シグネチャの決定はともに、
前記遠隔送受信機において第１のセグメントの間に受信される前記信号と各アンテナ素子によって送信される前記第１のセグメント信号の各々とを相互に関連づけて第１のセグメント相関関係を取得し、
前記第１のセグメントと前記参照素子から送信される信号との相関関係を用いて前記第１のセグメント相関関係を標準化し、前記標準化は第１のセグメント標準化相関関係を形成し、
前記遠隔送受信機において第２のセグメントの間に受信される前記信号と各アンテナ素子によって送信される前記第２のセグメント信号の各々とを相互に関連づけて第２のセグメント相関関係を取得し、
前記第１のセグメントと前記参照素子から送信される信号との相関関係を用いて前記第２のセグメント相関関係を標準化し、前記標準化は第２のセグメント標準化相関関係を形成し、かつ
対応する第１のセグメント標準化相関関係によって第２のセグメント標準化相関関係をそれぞれ分割してダウンリンク・シグネチャ推定値の成分を形成することを含む請求項４１に記載のシステム。
【請求項４６】  前記通信システムは、各々が１つまたは複数の加入者ユニットを有する１つまたは複数の基地局を含むセルラシステムであり、主送受信機は基地局の１つである請求項３４ないし４５のいずれかに記載のシステム。